(57)【要約】  【課題】  既存建物の建て替えに際し、既存建物の柱の直下に位置する既存杭を、新築建物の杭として再利用できるかどうか、同杭の支持性能を確認するために実施する既存杭の鉛直載荷試験方法を提供する。  【解決手段】  試験対象の既存杭と既存建物の基礎躯体との縁を切る。試験対象の既存杭直上の基礎躯体と既存建物の柱との縁を切り、両者の間に形成した切除部分にジャッキを設置する。試験荷重の反力を既存建物から得ることが可能にコンクリート反力体を用意する。コンクリート反力体に反力を得て、ジャッキにより既存杭に試験荷重を加えて支持性能を測定する。【選択図】  図４
2006169915.tif 000002
【特許請求の範囲】
【請求項１】
既存建物の建て替えに際し、既存建物の柱の直下に位置する既存杭を再利用するための鉛直載荷試験方法であって、
試験対象の既存杭と既存建物の基礎躯体との縁を切る工程と、
前記試験対象の既存杭直上の基礎躯体と既存建物の柱との縁を切り、両者の間に形成した切除部分にジャッキを設置する工程と、
試験荷重の反力を既存建物から得ることが可能にコンクリート反力体を用意する工程と、
コンクリート反力体に反力を得て、前記ジャッキにより既存杭に試験荷重を加えて支持性能を測定する工程と、
から成ることを特徴とする、既存杭の鉛直載荷試験方法。
【請求項２】
試験対象である既存杭直上の基礎躯体を、前記既存杭の平面形状とほぼ同形にくり貫いて、既存杭と基礎躯体の縁を切ることを特徴とする、請求項１に記載した既存杭の鉛直載荷試験方法。
【請求項３】
コンクリート反力体は鉄筋コンクリート造又は鉄骨鉄筋コンクリート造若しくは鉄骨コンクリート造として用意することを特徴とする、請求項１に記載した既存杭の鉛直載荷試験方法。
【請求項４】
コンクリート反力体は、試験対象である既存杭の直上に位置する柱を中心とした柱・梁架構の面内に、反力壁を上下方向に単層又は複数層連続するように形成して用意することを特徴とする、請求項１又は３に記載した既存杭の鉛直載荷試験方法。
【請求項５】
反力壁は、平面方向から見て試験対象である既存杭の直上に位置する柱を中心として両側の柱・梁架構、又は前記柱を中心として交差する複数方向に隣接する柱・梁架構に形成することを特徴とする、請求項４に記載した既存杭の鉛直載荷試験方法。
【請求項６】
反力壁は柱・梁架構の左右の柱間を繋ぐように形成することを特徴とする、請求項４又は５に記載した既存杭の鉛直載荷試験方法。
【請求項７】
反力壁は既存壁を用いて形成することを特徴とする、請求項４〜６のいずれか一に記載した既存杭の鉛直載荷試験方法。
【請求項８】
基礎躯体と縁を切られる柱を中心とした柱・梁架構に形成した反力壁を支保工として用いて、試験対象の既存杭直上の基礎躯体と前記柱との縁を切ることを特徴とする、請求項１又は請求項４〜７のいずれか一に記載した既存杭の鉛直載荷試験方法。
【請求項９】
基礎躯体と縁を切られる柱を中心とした柱・梁架構に形成する反力壁と前記柱との間には、少なくともジャッキを設置する高さ領域に作業スペースを形成することを特徴とする、請求項４〜８のいずれか一に記載した既存杭の鉛直載荷試験方法。
【請求項１０】
反力壁は、基礎躯体と縁を切られる柱との間に作業スペースの幅寸法と略等しい間隔を開けて形成し、切除部分より上位の柱と反力壁との間を埋めるように後打ち壁を構築し、ジャッキを設置する高さ領域に作業スペースを形成することを特徴とする、請求項９に記載した既存杭の鉛直載荷試験方法。
【請求項１１】
後打ち壁は、試験対象の既存杭と既存建物の柱との縁を切った後に、同既存杭直上の基礎躯体を掘り下げてその上端部に設置されたジャッキと連結できるように、下方まで延長して構築することを特徴とする、請求項１０に記載した既存杭の鉛直載荷試験方法。
【請求項１２】
作業スペースが広い場合は、切除部分より上位の柱の周辺に補強用の反力壁又は反力柱を構築することを特徴とする、請求項９に記載した既存杭の鉛直載荷試験方法。
【請求項１３】
コンクリート反力体は、基礎躯体の直上の上階床下面又は上面若しくは双方の面において、試験対象の既存杭の直上に位置する柱周辺の複数本の柱で囲まれた領域に反力スラブを構築して用意することを特徴とする、請求項１又は３に記載した既存杭の鉛直載荷試験方法。
【請求項１４】
反力スラブに加えて、試験対象である杭の直上に位置する柱を中心とした柱・梁架構の面内に、反力壁を上下方向に単層又は複数層連続するように形成し、コンクリート反力体を用意することを特徴とする、請求項１３に記載した既存杭の鉛直載荷試験方法。
【請求項１５】
反力壁は既存建物から試験荷重の反力を得ることが可能な高さまで、上下方向に連続するように単層又は複数層に亘って形成することを特徴とする、請求項４〜１０又は請求項１４のいずれか一に記載した既存杭の鉛直載荷試験方法。
【請求項１６】
コンクリート反力体は新築建物の本設躯体として利用することを特徴とする、請求項１又は請求項３、４又は請求項１３、１４のいずれか一に記載した既存杭の鉛直載荷試験方法。
【発明の詳細な説明】
【技術分野】
【０００１】
この発明は、既存建物の建て替えに際し、既存建物の柱の直下に位置する既存杭を、新築建物の杭として再利用できるかどうか、同杭の支持性能を確認するために実施する既存杭の鉛直載荷試験方法（以下、単に載荷試験方法という場合がある。）の技術分野に属し、更に云うと、既存建物に反力を得て載荷試験を実施する方法に関する。
【背景技術】
【０００２】
既存建物の建て替えに際し、既存建物に使用された既存杭を新築建物の杭として再利用して、工期の短縮やコストの削減等が図られている。この際、既存杭に載荷試験を実施し、同既存杭の支持性能を確認して、利用価値のある既存杭を再利用するが、解体前の既存建物を有効的に活用して、すなわち既存建物に反力を得て載荷試験を実施する技術が開発されている。
【０００３】
例えば、特許文献１の載荷試験方法は、既存建物における試験対象の既存杭の頭部を所定の高さで切断して基礎スラブと縁を切り、該縁を切った基礎スラブと上記既存杭の間にジャッキを設置し、前記基礎スラブに反力を得て載荷試験を実施している。
【特許文献１】特開平１１−２６４２４７号公報
【発明の開示】
【発明が解決しようとする課題】
【０００４】
特許文献１の載荷試験方法は、既存建物の基礎スラブに反力を得て載荷試験を実施しているので、既存杭に大きな試験荷重を加えることができない。
【０００５】
また、既存杭と基礎スラブとの間にジャッキを設置するスペースを確保するために、前記基礎スラブの下方の地盤を掘削するが、作業スペースの周囲に山留め壁等を構築する必要がある。また、掘削時に発生する掘削土の搬出や、載荷試験に用いるジャッキ等の試験装置を地下の作業スペースに搬入するのが大変で施工性が悪く、コストが嵩むなどの問題点を有する。
【０００６】
しかも、地下水位が高いと、試験装置が地下水に浸かってしまい、実施が困難になる問題点を有する。
【０００７】
本発明の目的は、既存建物に剛強なコンクリート反力体を用意し、同コンクリート反力体に反力を得て、基礎躯体と縁を切った既存杭に載荷試験を実施することで、前記既存建物に反力を得て既存杭に大きな試験荷重を加えることができる、既存杭の鉛直載荷試験方法を提供することである。
【０００８】
本発明の目的は、既存建物の基礎躯体の上方空間で載荷試験を実施でき、施工性が良く、コストの削減にも寄与し、しかも地下水位に影響を受けない、既存杭の鉛直載荷試験方法を提供することである。
【課題を解決するための手段】
【０００９】
上記従来技術の課題を解決するための手段として、請求項１に記載した発明に係る既存杭の鉛直載荷試験方法は、
既存建物の建て替えに際し、既存建物の柱の直下に位置する既存杭を再利用するための鉛直載荷試験方法であって、
試験対象の既存杭と既存建物の基礎躯体との縁を切る工程と、
前記試験対象の既存杭直上の基礎躯体と既存建物の柱との縁を切り、両者の間に形成した切除部分にジャッキを設置する工程と、
試験荷重の反力を既存建物から得ることが可能にコンクリート反力体を用意する工程と、
コンクリート反力体に反力を得て、前記ジャッキにより既存杭に試験荷重を加えて支持性能を測定する工程と、
から成ることを特徴とする。
【００１０】
請求項２記載の発明は、請求項１に記載した既存杭の鉛直載荷試験方法において、
試験対象である既存杭直上の基礎躯体を、前記既存杭の平面形状とほぼ同形にくり貫いて、既存杭と基礎躯体の縁を切ることを特徴とする。
【００１１】
請求項３記載の発明は、請求項１に記載した既存杭の鉛直載荷試験方法において、
コンクリート反力体は鉄筋コンクリート造又は鉄骨鉄筋コンクリート造若しくは鉄骨コンクリート造として用意することを特徴とする。
【００１２】
請求項４記載の発明は、請求項１又は３に記載した既存杭の鉛直載荷試験方法において、
コンクリート反力体は、試験対象である既存杭の直上に位置する柱を中心とした柱・梁架構の面内に、反力壁を上下方向に単層又は複数層連続するように形成して用意することを特徴とする。
【００１３】
請求項５記載の発明は、請求項４に記載した既存杭の鉛直載荷試験方法において、
反力壁は、平面方向から見て試験対象である既存杭の直上に位置する柱を中心として両側の柱・梁架構、又は前記柱を中心として交差する複数方向に隣接する柱・梁架構に形成することを特徴とする。
【００１４】
請求項６記載の発明は、請求項４又は５に記載した既存杭の鉛直載荷試験方法において、
反力壁は柱・梁架構の左右の柱間を繋ぐように形成することを特徴とする。
【００１５】
請求項７記載の発明は、請求項４〜６のいずれか一に記載した既存杭の鉛直載荷試験方法において、
反力壁は既存壁を用いて形成することを特徴とする。
【００１６】
請求項８記載の発明は、請求項１又は請求項４〜７のいずれか一に記載した既存杭の鉛直載荷試験方法において、
基礎躯体と縁を切られる柱を中心とした柱・梁架構に形成した反力壁を支保工として用いて、試験対象の既存杭直上の基礎躯体と前記柱との縁を切ることを特徴とする。
【００１７】
請求項９記載の発明は、請求項４〜８のいずれか一に記載した既存杭の鉛直載荷試験方法において、
基礎躯体と縁を切られる柱を中心とした柱・梁架構に形成する反力壁と前記柱との間には、少なくともジャッキを設置する高さ領域に作業スペースを形成することを特徴とする。
【００１８】
請求項１０記載の発明は、請求項９に記載した既存杭の鉛直載荷試験方法において、
反力壁は、基礎躯体と縁を切られる柱との間に作業スペースの幅寸法と略等しい間隔を開けて形成し、切除部分より上位の柱と反力壁との間を埋めるように後打ち壁を構築し、ジャッキを設置する高さ領域に作業スペースを形成することを特徴とする。
【００１９】
請求項１１記載の発明は、請求項１０に記載した既存杭の鉛直載荷試験方法において、
後打ち壁は、試験対象の既存杭と既存建物の柱との縁を切った後に、同既存杭直上の基礎躯体を掘り下げてその上端部に設置されたジャッキと連結できるように、下方まで延長して構築することを特徴とする。
【００２０】
請求項１２記載の発明は、請求項９に記載した既存杭の鉛直載荷試験方法において、
作業スペースが広い場合は、切除部分より上位の柱の周辺に補強用の反力壁又は反力柱を構築することを特徴とする。
【００２１】
請求項１３記載の発明は、請求項１又は３に記載した既存杭の鉛直載荷試験方法において、
コンクリート反力体は、基礎躯体の直上の上階床下面又は上面若しくは双方の面において、試験対象の既存杭の直上に位置する柱周辺の複数本の柱で囲まれた領域に反力スラブを構築して用意することを特徴とする。
【００２２】
請求項１４記載の発明は、請求項１３に記載した既存杭の鉛直載荷試験方法において、
反力スラブに加えて、試験対象である杭の直上に位置する柱を中心とした柱・梁架構の面内に、反力壁を上下方向に単層又は複数層連続するように形成し、コンクリート反力体を用意することを特徴とする。
【００２３】
請求項１５記載の発明は、請求項４〜１０又は請求項１４のいずれか一に記載した既存杭の鉛直載荷試験方法において、
反力壁は既存建物から試験荷重の反力を得ることが可能な高さまで、上下方向に連続するように単層又は複数層に亘って形成することを特徴とする。
【００２４】
請求項１６記載の発明は、請求項１又は請求項３、４又は請求項１３、１４のいずれか一に記載した既存杭の鉛直載荷試験方法において、
コンクリート反力体は新築建物の本設躯体として利用することを特徴とする。
【発明の効果】
【００２５】
本発明に係る既存杭の鉛直載荷試験方法は、既存建物に剛強なコンクリート反力体を用意し、同コンクリート反力体に反力を得て、基礎躯体と縁を切った既存杭に載荷試験を実施するので、前記既存建物に反力を得て既存杭に大きな試験荷重を加えることができる。
【００２６】
既存建物の基礎躯体の上方空間で載荷試験を実施できるので、地盤を掘削する必要が無く、山留め壁等の構築やその他の付随作業を一切省略できる。また、掘削土が発生し搬出する必要がないし、載荷試験に用いるジャッキ等の試験装置の搬入、搬出が容易なので、施工性が良く、コストの削減にも寄与できる。しかも、地下水位に影響を受けない。
【００２７】
特に、請求項７に記載した発明に係る既存杭の鉛直載荷試験方法は、既存壁でコンクリート反力体の反力壁を形成するので、反力壁の構築を省略でき、施工性が更によくなり、コストの削減と工期の短縮に寄与できる。
【００２８】
更に、請求項８に記載した発明に係る既存杭の鉛直載荷試験方法は、反力壁を支保工として用いて、試験対象の既存杭直上の基礎躯体と柱との縁を切るので、通例の支保工を既存建物内に搬入し組み立てる必要がなく、やはり施工性が更によくなり、コストの削減と工期の短縮に寄与できる。
【発明を実施するための最良の形態】
【００２９】
試験対象の既存杭と既存建物の基礎躯体との縁を切る。前記試験対象の既存杭直上の基礎躯体と既存建物の柱との縁を切り、両者の間に形成した切除部分にジャッキを設置する。試験荷重の反力を既存建物から得ることが可能にコンクリート反力体を用意し、同コンクリート反力体に反力を得て、前記ジャッキにより既存杭に試験荷重を加えて支持性能を測定する。
【実施例１】
【００３０】
請求項１〜９及び請求項１５、１６に記載した発明に係る既存杭の鉛直載荷試験方法の実施例を、図１〜図４に基づいて説明する。本実施例の載荷試験方法は、既存建物１の柱２（以下、既存柱２と省略する。）と梁３（以下、既存梁３と省略する。）とで形成された架構４の面内に構築されている既存壁５を有効利用して、既存柱２の直下に位置する既存杭６に載荷試験を実施する。
【００３１】
先ず、既存建物１の複数本の既存杭６…の中から試験対象の既存杭（以下、試験杭と省略する。）６ａを選択する（図１（Ａ）、（Ｂ）を参照）。この試験杭６ａの直上に位置する最下層の既存柱２ａの周辺に、後に試験杭６ａと基礎躯体７との縁を切ったり、ジャッキ（図４を参照）８を設置したりする際の作業スペースＳを、少なくとも前記ジャッキ８を設置する高さ領域に形成するべく、既存壁５の一部を取り壊す（請求項９記載の発明）。ちなみに、基礎躯体７は、既存杭６直上のフーチング７ａが基礎梁７ｂで連結された構成であり、図中の符号７ａ’は試験杭６ａ直上のフーチングを示す。
【００３２】
試験杭６ａ直上のフーチング７ａ’を、上方からコアリング等の手段で前記試験杭６ａの平面形状とほぼ同形にくり貫いて、試験杭６ａと基礎梁７ｂとの縁を切る（図２を参照、請求項２記載の発明）。
【００３３】
試験杭６ａの上方空間に試験荷重の反力を既存建物１から得ることが可能にコンクリート反力体９を用意する。その手段として、図１（Ｂ）に示すように試験杭６ａの直上に位置する既存柱２ａを中心にして直交方向に隣接する各架構４…の面内に、左右の既存柱２ａと２を繋ぎ、且つ既存梁３を挟んで構築されている鉄筋コンクリート造の既存壁５を反力壁１０として用いる。反力壁１０は、試験荷重の反力を得ることが可能な高さまで上下方向に連続するように複数層に亘って形成され、結果として剛強なコンクリート反力体９が構成されるので、既存建物１に反力を得て試験杭６ａに大きな試験荷重を加えることができる（請求項３〜７及び請求項１５記載の発明）。しかも、既存壁５で反力壁１０を形成するので、反力壁１０の構築を省略でき、施工性が良く、コストの削減と工期の短縮に寄与できる。もちろん、コンクリート反力体９を用意する際に、既存建物の什器、設備機器などによるスペースの制約を受けることがないので適用範囲が広い。
【００３４】
最下層の反力壁１０…を支保工として用い、同反力壁１０…で囲まれた既存柱２ａの下端部を所定の高さ（後にジャッキ８を設置できる高さ）切除し、試験杭６ａ直上のフーチング７ａ’と既存柱２ａとの縁を切る（図３を参照）。反力壁１０を支保工として用いるので、通例の支保工を既存建物内に搬入し組み立てる必要がなく、やはり施工性が良く、コストの削減と工期の短縮に寄与できる。
【００３５】
切除部分Ｈにジャッキ８を設置し、同ジャッキ８の上端部と既存柱２ａの下端部とを繋ぎ、ジャッキ８により試験荷重を加えて支持性能を測定する（図４を参照、請求項８記載の発明）。既存建物１の基礎躯体７の上方空間で載荷試験を実施できるので、地盤を掘削する必要が無く、山留め壁等の構築やその他の付随作業を一切省略できる。また、掘削土が発生し搬出する必要がないし、載荷試験に用いるジャッキ等の試験装置の搬入、搬出が容易なので、施工性が良く、コストの削減にも寄与できる。しかも、地下水位に影響を殆ど受けない。
【００３６】
その後、既存建物１を解体し、上記のように載荷試験を実施し支持性能を確認した既存杭６を、新築建物の杭として再利用するが、このとき、コンクリート反力体９を解体することなく、新築建物の本設躯体として利用すると経済的である（請求項１６記載の発明）。
【実施例２】
【００３７】
上記実施例１は既存壁５を用いて反力壁１０を形成しているが、既存壁５がない場合は、図５に示すように反力壁１１及び後打ち壁１２を構築してコンクリート反力体９を用意する。
【００３８】
具体的には、試験杭６ａの直上に位置する既存柱２ａを中心として直交方向に隣接する各架構４…の面内に、反力壁１１を試験荷重の反力を得ることが可能な高さまで上下方向に複数層（本実施例では２層であるが、単層でも良い。）連続するように構築する。このとき、上記実施例１と同様に、最下層の既存柱２ａの周辺においてジャッキ８を設置する高さ領域に作業スペースＳを形成するべく、先ず反力壁１１を前記既存柱２ａと作業スペースＳの幅寸法と略等しい間隔を開けて構築する。そして、切除部分Ｈより上位の既存柱２ａと反力壁１１との間に後打ち壁１２を構築して、左右の既存柱２ａと２を前記後打ち壁１２を介して反力壁１１で繋ぐ（請求項１０記載の発明）。
【００３９】
その後、反力壁１１…で囲まれた既存柱２ａの下端部を所定の高さ切除し、試験杭６ａ直上のフーチング７ａ’と既存柱２ａとの縁を切るが、上記実施例１と同様に、反力壁１１を支保工として用いることができる。
【００４０】
なお、本実施例では切除部分Ｈより上位の既存柱２ａと反力壁１１とを繋ぐように後打ち壁１２を構築したが、図６に示すように反力壁１１で一体的に構築しても良い。
【００４１】
また、後打ち壁１２の高さを稼いで大きな反力を得るべく、図７及び図８に示すようにフーチング７ａ’を掘り下げた場合は、この掘り下げたフーチング７ａ’又は基礎梁７ｂの上端部に設置されたジャッキ８と連結できるように、下方まで延長して構築する（請求項１１記載の発明）。
【実施例３】
【００４２】
上記実施例１及び２は、反力壁１０（１１）を試験杭６ａの直上に位置する既存柱２ａを中心として直交方向に隣接する各架構４…に形成（構築）しているが、図９に示すように前記既存柱２ａを中心として両側の架構４、４に形成（構築）しても良い。その場合は、図１０に示すように隣接する既存柱２を取り込むように反力壁１０（１１）を形成（構築）すると、大きな反力を得ることができる。もちろん、前記既存柱２と２の間の既存柱２ａも取り込むように形成（構築）すると更に良い。
【００４３】
ちなみに、既存柱２（２ａ）を取り込むように反力壁１０（１１）を形成（構築）することは、既存柱２ａを中心として直交方向に隣接する各架構４…に形成（構築）する場合でも同様に云えることである。
【実施例４】
【００４４】
上記実施例１〜３は、大きな反力を得るために、架構４の面内のほぼ全域に反力壁１０（１１）を形成したが、大きな反力を得る必要がない場合は、架構４の面内の一部分に反力壁１０（１１）を形成すれば良い。その場合は、図１１に示すように作業スペースＳを広く確保して反力壁１０（１１）を形成したり、図１２に示すように既存梁３の支点間距離を考慮して反力壁１０（１１）を形成するが、切除部分Ｈより上位の既存柱２ａの周辺に補強用の反力壁１３（又は反力柱でも良い。）を構築すると、反力壁１０（１１）を小型化すると共に比較的大きな反力を得ることができる（請求項１２記載の発明）。
【実施例５】
【００４５】
上記実施例１〜４は反力壁１０（１１）などを用いてコンクリート反力体９を用意しているが、図１３（Ａ）、（Ｂ）に示すように反力スラブ１４、１５を用いて用意しても良い。
【００４６】
具体的には、基礎躯体７の直上に位置する上階床１６下面において、試験杭６ａの直上に位置する既存柱２ａ周辺の複数本（本実施例では８本）の既存柱２…で囲まれた領域に下側の反力スラブ１４を構築する。更に前記上階床１６上面にも同じく複数本の既存柱２…で囲まれた領域に上側の反力スラブ１５を構築して、コンクリート反力体９を用意する（請求項１３記載の発明）。このとき、図示例のように反力スラブ１４、１５で複数本の既存柱２…を取り込むように構築すると、大きな反力を得ることができる。
【００４７】
なお、試験荷重の大きさを考慮して、下側の反力スラブ１４又は上側の反力スラブ１５のみを構築して反力を得ても良い。この場合は、図１４に示すように試験杭６ａの直上に位置する既存柱２ａ近傍を厚く構築し、同既存柱２ａから遠方に向かって徐々に薄く構築すると、合理的に大きな反力を得ることができる構成となる。
【００４８】
また、上下方向に単層又は複数層連続するように反力スラブ（結果としてブロック状の反力壁となる。）を構築しても良い。
【実施例６】
【００４９】
要するに、コンクリート反力体９は所定の大きさの反力を既存建物１から得ることが可能な構成とされていれば良く、図１５に示すように反力壁１０と反力スラブ１５とを組み合わせて用意したり、図示は省略するが反力壁を形成した架構の周辺架構にブレースを構築して用意しても良い（請求項１４記載の発明）。
【００５０】
また、コンクリート反力体９の反力壁１０（１１）を、立面視が図１３に示すような形状（結果として、梁の如く形状となる。）に形成したり、図１４に示すような形状に形成しても良い。
【実施例７】
【００５１】
図１（Ａ）等に示す既存建物１の基礎躯体７は、既存杭６直上のフーチング７ａが基礎梁７ｂで連結された構成であるが、図１６に示すように基礎スラブ１７で構成されていても、略同様に実施できる。
【実施例８】
【００５２】
以上に本発明の実施例を説明したが、本発明はこうした実施例に何ら限定されるものではなく、本発明の要旨を逸脱しない範囲において、種々の形態で実施し得る。
【図面の簡単な説明】
【００５３】
【図１】（Ａ）は実施例１の既存杭の鉛直載荷試験方法の手順を概念的に示した立面図である。（Ｂ）は水平断面図である。
【図２】実施例１の既存杭の鉛直載荷試験方法の手順を概念的に示した立面図である。
【図３】実施例１の既存杭の鉛直載荷試験方法の手順を概念的に示した立面図である。
【図４】実施例１の既存杭の鉛直載荷試験方法の手順を概念的に示した立面図である。
【図５】実施例２の既存杭の鉛直載荷試験方法で載荷試験を実施する直前の状態を概念的に示した立面図である。
【図６】実施例２の異なる形態を概念的に示した立面図である。
【図７】実施例２の更に異なる形態を概念的に示した立面図である。
【図８】実施例２の更に異なる形態を概念的に示した立面図である。
【図９】反力壁の異なる配置関係を示した水平断面図である。
【図１０】図９の異なる形態を示した水平断面図である。
【図１１】実施例４の既存杭の鉛直載荷試験方法で載荷試験を実施する直前の状態を概念的に示した立面図である。
【図１２】実施例４の異なる形態を概念的に示した立面図である。
【図１３】（Ａ）は実施例５の既存杭の鉛直載荷試験方法で載荷試験を実施する直前の状態を概念的に示した立面図である。（Ｂ）は水平断面図である。
【図１４】実施例５の異なる形態を概念的に示した立面図である。
【図１５】実施例６の既存杭の鉛直載荷試験方法で載荷試験を実施する直前の状態を概念的に示した立面図である。
【図１６】実施例７の既存杭の鉛直載荷試験方法で載荷試験を実施する直前の状態を概念的に示した立面図である。
【符号の説明】
【００５４】
１      既存建物
２      既存建物の柱
２ａ    試験対象である既存杭の直上に位置する柱
４      柱・梁架構
５      既存壁
６      既存杭
６ａ    試験対象の既存杭（試験杭）
７      基礎躯体
８      ジャッキ
９      コンクリート反力体
１０    反力壁
１１    反力壁
１２    後打ち壁
１３    補強用の反力壁
１４、１５    反力スラブ
１６    基礎躯体の直上に位置する上階床
１７    基礎スラブ
Ｈ      切除部分
Ｓ      作業スペース
【図１】
2006169915.tif 000003
【図２】
2006169915.tif 000004
【図３】
2006169915.tif 000005
【図４】
2006169915.tif 000006
【図５】
2006169915.tif 000007
【図６】
2006169915.tif 000008
【図７】
2006169915.tif 000009
【図８】
2006169915.tif 000010
【図９】
2006169915.tif 000011
【図１０】
2006169915.tif 000012
【図１１】
2006169915.tif 000013
【図１２】
2006169915.tif 000014
【図１３】
2006169915.tif 000015
【図１４】
2006169915.tif 000016
【図１５】
2006169915.tif 000017
【図１６】
2006169915.tif 000018